(57)【要約】【課題】アンテナ感度抑圧低減及び消費電力の低減と耐ノイズ性能の劣化防止との両立を図ることができ、かつノイズによるクロック信号の乱れを防止できる。【解決手段】ノイズ発生検出部１５はインタフェース回路３上におけるノイズの発生を検出する。情報信号電圧値切替制御部１４はノイズの発生が検出されたとき、ＣＰＵ１１とＣＰＵ２１間で送受信される情報を含む情報信号の電圧の値をそれまでの１.８Ｖから３.０に切り替えるよう情報信号送受信部１２ａ，１２ｂを制御する。また、送信レベル変動検出部１８は送信レベルの変動時に、予め定められた送信レベルの値を超す送信レベルを検出する。情報信号電圧値切替制御部１４は、送信レベルが、予め定められた値を超したことが検出されたときも、上記情報を含む情報信号の電圧の値を１.８Ｖから３.０に切り替えるよう情報信号送受信部１２ａ，１２ｂを制御する。【選択図】      図１
2006100979.tif 000002
【特許請求の範囲】
【請求項１】
ディジタル信号線が接続され所定の論理レベルで動作するディジタル回路素子を含む電子機器であって、前記ディジタル信号線上のノイズの発生を検出したとき、前記論理レベルを増加させるように前記ディジタル回路素子を制御する論理レベル制御手段を備えることを特徴とする電子機器。
【請求項２】
ディジタル信号線が接続され所定の論理レベルで動作するディジタル回路素子を含み、無線基地局へ所定の送信レベルの信号を送出する電子機器であって、前記送信レベルが予め定められた値より大きくなったことを検出したとき、前記論理レベルを増加させるように前記ディジタル回路素子を制御する論理レベル制御手段を備えることを特徴とする電子機器。
【請求項３】
（Ａ）内蔵する複数のＣＰＵが相互に情報を送受信するためのディジタル信号線、
（Ｂ）前記情報を含む情報信号を前記ディジタル信号線を介して送受信する情報信号送受信手段、
を備えた電子機器において、
（Ｃ）前記ディジタル信号線上のノイズの発生を検出するノイズ発生検出手段、
（Ｄ）前記ノイズ発生検出手段により前記ノイズの発生が検出されたとき、前記情報信号の電圧の値をそれまでの第１の電圧値より大きい第２の電圧値に切り替えるように前記情報信号送受信手段を制御する情報信号送受信制御手段、
を備えることを特徴とする電子機器。
【請求項４】
請求項３記載の電子機器において、前記ノイズ発生検出手段はコンパレータを含んで構成され、前記情報信号の電圧と前記ノイズの電圧との合成電圧を、予め定められた電圧と前記コンパレータで比較し前記ノイズの発生を検出することを特徴とする電子機器。
【請求項５】
請求項３または請求項４記載の電子機器において、前記電子機器は携帯型端末装置であることを特徴とする電子機器。
【請求項６】
（Ａ）内蔵する複数のＣＰＵが相互に情報を送受信するためのディジタル信号線、
（Ｂ）前記情報を含む情報信号を、前記ディジタル信号線を介して送受信する情報信号送受信手段、
を備えた、携帯型端末装置として機能する電子機器において、
（Ｃ）無線基地局への送信レベルが、予め定められた送信レベルの値を超す送信レベルになったことを検出する送信レベル変動検出手段、
（Ｄ）前記送信レベル変動検出手段により送信レベルの変動によって、予め定められた送信レベルの値を超す送信レベルになったことが検出されたとき、前記情報信号の電圧の値をそれまでの第１の電圧値より大きい第２の電圧値に切り替えるように前記情報信号送受信手段を制御する情報信号送受信制御手段、
を備えることを特徴とする電子機器。
【請求項７】
請求項５記載の電子機器において、無線基地局への送信レベルが、予め定められた送信レベルの値を超す送信レベルになったことを検出する送信レベル変動検出手段を備え、前記送信レベル変動検出手段が、予め定められた送信レベルの値を超す送信レベルに前記送信レベルがなったことを検出したとき、情報信号送受信制御手段は前記情報信号の電圧の値をそれまでの第１の電圧値より大きい第２の電圧値に切り替えるように前記情報信号送受信手段を制御することを特徴とする電子機器。
【請求項８】
請求項３、請求項４、請求項５、請求項６または請求項７記載の電子機器において、前記情報信号送受信手段により前記第２の電圧値に切り替えられた、前記情報信号の電圧の値は、予め定められた一定時間保持された後に前記第１の電圧値に切り替えられることを特徴とする電子機器。
【請求項９】
装置内の各種機能の動作制御を分担する第１のＣＰＵ及び第２のＣＰＵと、前記第１のＣＰＵ及び前記第２のＣＰＵが、それぞれ分担する前記各機能の動作制御に関して他のＣＰＵと情報の送受信を行うために用いられるインタフェース回路と、前記第１のＣＰＵ及び前記第２のＣＰＵのそれぞれが前記インタフェース回路を介して他のＣＰＵと前記情報の送受信を行うために前記情報を含む情報信号を前記インタフェース回路を介して相手ＣＰＵと送受信する情報信号送受信部とを備えた電子機器において、前記インタフェース回路上に発生したノイズの電圧と前記情報信号の電圧との合成電圧の値が、予め定められた第３の電圧値を超えるか否かを判定し、前記合成電圧の値が、予め定められた第３の電圧値を超えたときは、ノイズ発生を検出したものとしてノイズ発生検出信号を出力するノイズ発生検出部と、前記ノイズ発生検出部から前記ノイズ発生検出信号を入力して、前記インタフェース回路を介して相手ＣＰＵへ送信する前記情報信号の電圧の値をそれまでの第１の電圧値より大きい第２の電圧値に切り替えるように前記情報信号送受信部に指示する第１の電圧値切替制御信号を出力し、予め定められた第１の時間が経過したとき前記情報信号の電圧の値をそれまでの前記第２の電圧値から前記第１の電圧値に切り替えるように前記情報信号送受信部に指示する第２の電圧値切替制御信号を出力する情報信号電圧値切替制御部と、前記情報信号電圧値切替制御部から出力された前記第１の電圧値切替制御信号を入力してカウント動作を起動し、予め定められた第１の時間をカウントしてカウントアップになったとき、前記第１の時間が経過したことを通知するカウントアップ通知信号を前記情報信号電圧値切替制御部に出力するタイマ部とを備えることを特徴とする電子機器。
【請求項１０】
無線基地局と無線通信を行うための無線部と、装置内の各種機能の動作制御を分担して行う第１のＣＰＵ及び第２のＣＰＵと、前記第１のＣＰＵ及び前記第２のＣＰＵが、それぞれ分担する前記各機能の動作制御に関して他のＣＰＵと情報の送受信を行うために用いられるインタフェース回路と、前記第１のＣＰＵ及び前記第２のＣＰＵのそれぞれが前記インタフェース回路を介して他のＣＰＵと前記情報の送受信を行うために前記情報を含む情報信号を前記インタフェース回路を介して相手ＣＰＵと送受信する情報信号送受信部とを備えた電子機器において、前記無線部から出力される無線送信電力の送信レベルが予め定められたレベル値を超えるか否かを判定し、前記無線送信電力の送信レベルが前記予め定められたレベル値を超えたときは、前記無線送信電力の送信レベルが前記レベル値を超えたことを示す送信レベル変動検出信号を出力する送信レベル変動検出部を備え、前記情報信号電圧値切替制御部は、前記送信レベル変動検出部から前記送信レベル変動検出信号を入力して、前記インタフェース回路介して相手ＣＰＵへ送信する前記情報信号の電圧の値をそれまでの第１の電圧値より大きい第２の電圧値に切り替えるように前記情報信号送受信部に指示する前記第１の電圧値切替制御信号を出力し、前記タイマ部は、前記情報信号電圧値切替制御部から出力された前記第１の電圧値切替制御信号を入力してカウント動作を起動し、予め定められた第２の時間をカウントしてカウントアップになったとき、前記第２の時間が経過したことを通知する前記カウントアップ通知信号を前記情報信号電圧値切替制御部に出力し、前記カウントアップ通知信号を入力して、前記情報信号電圧値切替制御部は前記情報信号の電圧の値をそれまでの前記第２の電圧値から前記第１の電圧値に切り替えるように前記情報信号送受信部に指示する第２の電圧値切替制御信号を出力することを特徴とする電子機器。
【請求項１１】
請求項９記載の電子機器において、無線基地局と無線通信を行うための無線部と、前記無線部から出力される無線送信電力の送信レベルが予め定められたレベル値を超えるか否かを判定し、前記無線送信電力の送信レベルが前記予め定められたレベル値を超えたときは、前記無線送信電力の送信レベルが前記レベル値を超えたことを示す送信レベル変動検出信号を出力する送信レベル変動検出部とを備え、前記情報信号電圧値切替制御部は、前記送信レベル変動検出部から前記送信レベル変動検出信号を入力して、前記インタフェース回路介して相手ＣＰＵへ送信する前記情報信号の電圧の値をそれまでの第１の電圧値より大きい第２の電圧値に切り替えるように前記情報信号送受信部に指示する前記第１の電圧値切替制御信号を出力し、前記タイマ部は、前記情報信号電圧値切替制御部から出力された前記第１の電圧値切替制御信号を入力してカウント動作を起動し、予め定められた第２の時間をカウントしてカウントアップになったとき、前記第２の時間が経過したことを通知する前記カウントアップ通知信号を前記情報信号電圧値切替制御部に出力し、前記カウントアップ通知信号を入力して、前記情報信号電圧値切替制御部は前記情報信号の電圧の値をそれまでの前記第２の電圧値から前記第１の電圧値に切り替えるように前記情報信号送受信部に指示する第２の電圧値切替制御信号を出力することを特徴とする電子機器。
【請求項１２】
請求項９または請求項１１記載の電子機器において、前記ノイズ発生検出部はコンパレータを含んで構成され、前記情報信号の電圧と前記ノイズの電圧との合成電圧を、予め定められた電圧と前記コンパレータで比較し前記ノイズの発生を検出することを特徴とする電子機器。
【請求項１３】
請求項９、請求項１０、請求項１１または請求項１２記載の電子機器において、前記情報信号送受信部により前記第２の電圧値に切り替えられた、前記情報信号の電圧の値は、予め定められた一定時間保持された後に前記第１の電圧値に切り替えられることを特徴とする電子機器。
【請求項１４】
ディジタル信号線が接続され所定の論理レベルで動作するディジタル回路素子を含む電子機器内信号レベル制御方法であって、前記ディジタル信号線上のノイズの発生を検出するノイズ検出工程と、前記ノイズ検出工程で前記ノイズの発生を検出したとき、前記論理レベルを増加させるように前記ディジタル回路素子を制御する論理レベル制御工程とを備えることを特徴とする電子機器内信号レベル制御方法。
【請求項１５】
ディジタル信号線が接続され所定の論理レベルで動作するディジタル回路素子を含み、無線基地局へ所定の送信レベルの信号を送出する電子機器内信号レベル制御方法であって、前記送信レベルが予め定められた値より大きくなったことを検出する送信レベル検出工程と、前記送信レベル検出工程で前記送信レベルが前記予め定められた値より大きくなったことを検出したとき、前記論理レベルを増加させるように前記ディジタル回路素子を制御する論理レベル制御工程とを備えることを特徴とする電子機器内信号レベル制御方法。
【請求項１６】
（Ａ）第１のＣＰＵと第２のＣＰＵとの間を接続するインタフェース回路上で情報の送受信を行うための情報信号の電圧の値を、予め定められた第１の電圧値に設定して前記情報信号の送受信を行う第１の工程、
（Ｂ）前記インタフェース回路上の、前記情報信号の電圧と前記インタフェース回路上に発生するノイズの電圧との合成電圧の値が、前記合成電圧の電圧と比較するための予め定められた第３の電圧値を超えるか否かを判定する第２の工程、
（Ｃ）前記合成電圧の値が、前記第３の電圧値を超えたときは、前記情報信号の電圧値をそれまでの第１の電圧値より大きい第２の電圧値に切り替える第３の工程、
（Ｄ）前記情報信号の電圧の値を前記第２の電圧値に切り替えてから、予め定められた第１の時間が経過したか否かを判定する第４の工程、
（Ｅ）前記第１の時間が経過したとき、前記情報信号の電圧の値を前記第２の電圧値から前記第１の電圧値に切り替える第５の工程、
（Ｆ）無線部が出力する無線送信電力の送信レベルが予め定められたレベル値を超えているか否かを判定する第６の工程
（Ｇ）前記無線送信電力の送信レベルが、予め定められたレベル値を超えているときは、前記インタフェース回路上の、前記第１及び第２のＣＰＵ間で送受信される前記情報信号の電圧の値を、予め定められた、前記第１の電圧値より大きい第２の電圧値に切り替える第７の工程、
（Ｈ）前記第２の電圧値に切り替えてから、予め定められた第２の時間が経過したか否かを判定する第８の工程、
（Ｉ）前記第２の時間が経過したとき、前記情報信号の電圧の値を前記第２の電圧値から前記第１の電圧値に切り替えて、動作を第２の工程に戻す第９の工程、
を実行することを特徴とする電子機器内における信号の送受信制御方法。
【発明の詳細な説明】
【技術分野】
【０００１】
本発明は電子機器及び電子機器内における信号の送受信制御方法に関し、特にノイズの影響を低減することが可能な電子機器及び電子機器内における信号の送受信制御方法に関する。
【背景技術】
【０００２】
携帯電話装置や各種携帯型端末装置などの電子機器は、近年様々な用途に用いられて、その機能が多様化してきている。このため、各種の電子機器は、内蔵したＣＰＵ（Ｃｅｎｔｒａｌ  Ｐｒｏｃｅｓｓｉｎｇ  Ｕｎｉｔ）によって、この多様化した様々な機能を実現するようになってきている。このような傾向の中で、１個のＣＰＵでは多様化した様々の機能を実現することが困難になってきている。
【０００３】
このような状況にあって、特開平１１−８５３３７号公報に記載されているように、複数のＣＰＵによって、多様化している様々な機能を分担した携帯型端末装置も開発されている。
【０００４】
上記公報に記載の、携帯型端末装置としての携帯情報端末には、通信機能を実現するためのＣＰＵと、携帯情報端末の提供する各種サービス機能を実現するためのＣＰＵとが備えられている。上記二つのＣＰＵの間では、互いに情報の送受を行うための情報信号が送受信されるようになっている。
【０００５】
図４に、二つのＣＰＵ１１及びＣＰＵ２１を備えた折り畳み型の携帯型端末装置のブロック図を示す。
【０００６】
折り畳み式の携帯型端末装置は、一般的には図４に示すように、キー操作部１３が配置されている第１のボード部１ｂと、液晶表示部２３が配置されている第２のボード部２ｂとに筐体が分かれる。上記第１のボード部１ｂと第２のボード部２ｂとは、構造的にはヒンジで相互に接続される。そして、第１のボード部１ｂには通信機能を実現するためのＣＰＵ１１を、また第２のボード部２ｂには表示機能を含む各種サービス機能を実現するためのＣＰＵ２１を備えている。
【０００７】
また、図４に示すように、第１のボード部１ｂのＣＰＵ１１と第２のボード部２ｂのＣＰＵ２１とは電気的にはインタフェース回路３を介して接続されている。さらに、ＣＰＵ１１は情報信号送受信部１２ｂを介してインタフェース回路３に接続される。また、ＣＰＵ２１は情報信号送受信部２２ｂを介してインタフェース回路３に接続される。すなわち、ＣＰＵ１１とＣＰＵ２１とは情報信号送受信部１２ｂ、インタフェース回路３及び情報信号送受信部２２ｂを介して情報信号の送受信を行うように構成されている。
【０００８】
なお、上記インタフェース回路３を介して情報信号送受信部１２ｂと情報信号送受信部２２ｂとの間で送受信される情報信号は、振幅値が予め定められた一定の値を維持する。すなわち、インタフェース回路３上での情報信号の振幅値（電圧）が通常、図５に示すように、１.８Ｖから３.０Ｖの範囲の電圧値を維持するように情報信号の送受信が行われる。
【０００９】
また、図５に示す信号波形は、上記情報信号の信号波形である。図５（ａ）はインタフェース回路３の情報信号の電圧の値が３.０Ｖの場合である。また、図５（ｂ）はインタフェース回路３の情報信号の電圧の値が１.８Ｖの場合である。
【００１０】
【特許文献１】特開平１１−８５３３７号公報  （第２頁、図１）
【発明の開示】
【発明が解決しようとする課題】
【００１１】
上述した従来の携帯型端末装置では、インタフェース回路上の信号電圧を高電圧の３．０Ｖに設定した場合は、インタフェース回路での耐ノイズ性能は高いが、アンテナ感度抑圧及び消費電力が大きくなるという欠点を有している。
【００１２】
一方、インタフェース回路上の信号電圧を低電圧の１．８Ｖに設定した場合には、アンテナ感度抑圧及び消費電力は小さくなるが、インタフェース回路での耐ノイズ性能が低くなってしまうという欠点を有している。特に、信号電圧を低電圧の１．８Ｖに設定した場合は、特にクロック信号にノイズがのったときに、クロック信号が乱れてそれぞれのＣＰＵの動作に異状が発生する可能性が高くなるという欠点も有している。
【００１３】
また、無線送信電力のレベルが高くなったときには、インタフェース回路上の情報信号に無線送信信号がノイズとして影響を与えることがある。このような場合もインタフェース回路での耐ノイズ性能が低くなってしまうという欠点を有している。
【００１４】
本発明の目的は、アンテナ感度抑圧低減及び消費電力の低減と、耐ノイズ性能の劣化防止との両立を図ることができる電子機器を提供することにある。
【課題を解決するための手段】
【００１５】
第１の発明の電子機器は、ディジタル信号線が接続され所定の論理レベルで動作するディジタル回路素子を含む電子機器であって、前記ディジタル信号線上のノイズの発生を検出したとき、前記論理レベルを増加させるように前記ディジタル回路素子を制御する論理レベル制御手段を備えることを特徴として構成される。
【００１６】
また、第２の発明の電子機器は、ディジタル信号線が接続され所定の論理レベルで動作するディジタル回路素子を含み、無線基地局へ所定の送信レベルの信号を送出する電子機器であって、前記送信レベルが予め定められた値より大きくなったことを検出したとき、前記論理レベルを増加させるように前記ディジタル回路素子を制御する論理レベル制御手段を備えることを特徴として構成される。
【００１７】
また、第３の発明の電子機器は、
（Ａ）内蔵する複数のＣＰＵが相互に情報を送受信するためのディジタル信号線、
（Ｂ）前記情報を含む情報信号を前記ディジタル信号線を介して送受信する情報信号送受信手段、
を備えた電子機器において、
（Ｃ）前記ディジタル信号線上のノイズの発生を検出するノイズ発生検出手段、
（Ｄ）前記ノイズ発生検出手段により前記ノイズの発生が検出されたとき、前記情報信号の電圧の値をそれまでの第１の電圧値より大きい第２の電圧値に切り替えるように前記情報信号送受信手段を制御する情報信号送受信制御手段、
を備えることを特徴として構成される。
【００１８】
また、第４の発明の電子機器は、第３の発明の電子機器において、前記ノイズ発生検出手段はコンパレータを含んで構成され、前記情報信号の電圧と前記ノイズの電圧との合成電圧を、予め定められた電圧と前記コンパレータで比較し前記ノイズの発生を検出することを特徴として構成される。
【００１９】
また、第５の発明の電子機器は、第３または第４の発明の電子機器において、前記電子機器は携帯型端末装置であることを特徴として構成される。
【００２０】
また、第６の発明の電子機器は、
（Ａ）内蔵する複数のＣＰＵが相互に情報を送受信するためのディジタル信号線、
（Ｂ）前記情報を含む情報信号を、前記ディジタル信号線を介して送受信する情報信号送受信手段、
を備えた、携帯型端末装置として機能する電子機器において、
（Ｃ）無線基地局への送信レベルが、予め定められた送信レベルの値を超す送信レベルになったことを検出する送信レベル変動検出手段、
（Ｄ）前記送信レベル変動検出手段により送信レベルの変動によって、予め定められた送信レベルの値を超す送信レベルになったことが検出されたとき、前記情報信号の電圧の値をそれまでの第１の電圧値より大きい第２の電圧値に切り替えるように前記情報信号送受信手段を制御する情報信号送受信制御手段、
を備えることを特徴として構成される。
【００２１】
また、第７の発明の電子機器は、第５の発明の電子機器において、無線基地局への送信レベルが、予め定められた送信レベルの値を超す送信レベルになったことを検出する送信レベル変動検出手段を備え、前記送信レベル変動検出手段が、予め定められた送信レベルの値を超す送信レベルに前記送信レベルがなったことを検出したとき、情報信号送受信制御手段は前記情報信号の電圧の値をそれまでの第１の電圧値より大きい第２の電圧値に切り替えるように前記情報信号送受信手段を制御することを特徴として構成される。
【００２２】
また、第８の発明の電子機器は、第３、第４、第５、第６または第７の発明の電子機器において、前記情報信号送受信手段により前記第２の電圧値に切り替えられた、前記情報信号の電圧の値は、予め定められた一定時間保持された後に前記第１の電圧値に切り替えられることを特徴として構成される。
【００２３】
また、第９の発明の電子機器は、装置内の各種機能の動作制御を分担する第１のＣＰＵ及び第２のＣＰＵと、前記第１のＣＰＵ及び前記第２のＣＰＵが、それぞれ分担する前記各機能の動作制御に関して他のＣＰＵと情報の送受信を行うために用いられるインタフェース回路と、前記第１のＣＰＵ及び前記第２のＣＰＵのそれぞれが前記インタフェース回路を介して他のＣＰＵと前記情報の送受信を行うために前記情報を含む情報信号を前記インタフェース回路を介して相手ＣＰＵと送受信する情報信号送受信部とを備えた電子機器において、前記インタフェース回路上に発生したノイズの電圧と前記情報信号の電圧との合成電圧の値が、予め定められた第３の電圧値を超えるか否かを判定し、前記合成電圧の値が、予め定められた第３の電圧値を超えたときは、ノイズ発生を検出したものとしてノイズ発生検出信号を出力するノイズ発生検出部と、前記ノイズ発生検出部から前記ノイズ発生検出信号を入力して、前記インタフェース回路を介して相手ＣＰＵへ送信する前記情報信号の電圧の値をそれまでの第１の電圧値より大きい第２の電圧値に切り替えるように前記情報信号送受信部に指示する第１の電圧値切替制御信号を出力し、予め定められた第１の時間が経過したとき前記情報信号の電圧の値をそれまでの前記第２の電圧値から前記第１の電圧値に切り替えるように前記情報信号送受信部に指示する第２の電圧値切替制御信号を出力する情報信号電圧値切替制御部と、前記情報信号電圧値切替制御部から出力された前記第１の電圧値切替制御信号を入力してカウント動作を起動し、予め定められた第１の時間をカウントしてカウントアップになったとき、前記第１の時間が経過したことを通知するカウントアップ通知信号を前記情報信号電圧値切替制御部に出力するタイマ部とを備えることを特徴として構成される。
【００２４】
また、第１０の発明の電子機器は、無線基地局と無線通信を行うための無線部と、装置内の各種機能の動作制御を分担して行う第１のＣＰＵ及び第２のＣＰＵと、前記第１のＣＰＵ及び前記第２のＣＰＵが、それぞれ分担する前記各機能の動作制御に関して他のＣＰＵと情報の送受信を行うために用いられるインタフェース回路と、前記第１のＣＰＵ及び前記第２のＣＰＵのそれぞれが前記インタフェース回路を介して他のＣＰＵと前記情報の送受信を行うために前記情報を含む情報信号を前記インタフェース回路を介して相手ＣＰＵと送受信する情報信号送受信部とを備えた電子機器において、前記無線部から出力される無線送信電力の送信レベルが予め定められたレベル値を超えるか否かを判定し、前記無線送信電力の送信レベルが前記予め定められたレベル値を超えたときは、前記無線送信電力の送信レベルが前記レベル値を超えたことを示す送信レベル変動検出信号を出力する送信レベル変動検出部を備え、前記情報信号電圧値切替制御部は、前記送信レベル変動検出部から前記送信レベル変動検出信号を入力して、前記インタフェース回路介して相手ＣＰＵへ送信する前記情報信号の電圧の値をそれまでの第１の電圧値より大きい第２の電圧値に切り替えるように前記情報信号送受信部に指示する前記第１の電圧値切替制御信号を出力し、前記タイマ部は、前記情報信号電圧値切替制御部から出力された前記第１の電圧値切替制御信号を入力してカウント動作を起動し、予め定められた第２の時間をカウントしてカウントアップになったとき、前記第２の時間が経過したことを通知する前記カウントアップ通知信号を前記情報信号電圧値切替制御部に出力し、前記カウントアップ通知信号を入力して、前記情報信号電圧値切替制御部は前記情報信号の電圧の値をそれまでの前記第２の電圧値から前記第１の電圧値に切り替えるように前記情報信号送受信部に指示する第２の電圧値切替制御信号を出力することを特徴として構成される。
【００２５】
また、第１１の発明の電子機器は、第９の発明の電子機器において、無線基地局と無線通信を行うための無線部と、前記無線部から出力される無線送信電力の送信レベルが予め定められたレベル値を超えるか否かを判定し、前記無線送信電力の送信レベルが前記予め定められたレベル値を超えたときは、前記無線送信電力の送信レベルが前記レベル値を超えたことを示す送信レベル変動検出信号を出力する送信レベル変動検出部とを備え、前記情報信号電圧値切替制御部は、前記送信レベル変動検出部から前記送信レベル変動検出信号を入力して、前記インタフェース回路介して相手ＣＰＵへ送信する前記情報信号の電圧の値をそれまでの第１の電圧値より大きい第２の電圧値に切り替えるように前記情報信号送受信部に指示する前記第１の電圧値切替制御信号を出力し、前記タイマ部は、前記情報信号電圧値切替制御部から出力された前記第１の電圧値切替制御信号を入力してカウント動作を起動し、予め定められた第２の時間をカウントしてカウントアップになったとき、前記第２の時間が経過したことを通知する前記カウントアップ通知信号を前記情報信号電圧値切替制御部に出力し、前記カウントアップ通知信号を入力して、前記情報信号電圧値切替制御部は前記情報信号の電圧の値をそれまでの前記第２の電圧値から前記第１の電圧値に切り替えるように前記情報信号送受信部に指示する第２の電圧値切替制御信号を出力することを特徴として構成される。
【００２６】
また、第１２の発明の電子機器は、第９または第１１の発明の電子機器において、前記ノイズ発生検出部はコンパレータを含んで構成され、前記情報信号の電圧と前記ノイズの電圧との合成電圧を、予め定められた電圧と前記コンパレータで比較し前記ノイズの発生を検出することを特徴として構成される。
【００２７】
また、第１３の発明の電子機器は、第９、第１０、第１１または第１２の発明の電子機器において、前記情報信号送受信部により前記第２の電圧値に切り替えられた、前記情報信号の電圧の値は、予め定められた一定時間保持された後に前記第１の電圧値に切り替えられることを特徴として構成される。
【００２８】
また、第１４の発明の電子機器内信号レベル制御方法は、ディジタル信号線が接続され所定の論理レベルで動作するディジタル回路素子を含む電子機器内信号レベル制御方法であって、前記ディジタル信号線上のノイズの発生を検出するノイズ検出工程と、前記ノイズ検出工程で前記ノイズの発生を検出したとき、前記論理レベルを増加させるように前記ディジタル回路素子を制御する論理レベル制御工程とを備えることを特徴として構成される。
【００２９】
また、第１５の発明の電子機器内信号レベル制御方法は、ディジタル信号線が接続され所定の論理レベルで動作するディジタル回路素子を含み、無線基地局へ所定の送信レベルの信号を送出する電子機器内信号レベル制御方法であって、前記送信レベルが予め定められた値より大きくなったことを検出する送信レベル検出工程と、前記送信レベル検出工程で前記送信レベルが前記予め定められた値より大きくなったことを検出したとき、前記論理レベルを増加させるように前記ディジタル回路素子を制御する論理レベル制御工程とを備えることを特徴として構成される。
【００３０】
また、第１６の発明の電子機器内における信号の送受信制御方法は、
（Ａ）第１のＣＰＵと第２のＣＰＵとの間を接続するインタフェース回路上で情報の送受信を行うための情報信号の電圧の値を、予め定められた第１の電圧値に設定して前記情報信号の送受信を行う第１の工程、
（Ｂ）前記インタフェース回路上の、前記情報信号の電圧と前記インタフェース回路上に発生するノイズの電圧との合成電圧の値が、前記合成電圧の電圧と比較するための予め定められた第３の電圧値を超えるか否かを判定する第２の工程、
（Ｃ）前記合成電圧の値が、前記第３の電圧値を超えたときは、前記情報信号の電圧値をそれまでの第１の電圧値より大きい第２の電圧値に切り替える第３の工程、
（Ｄ）前記情報信号の電圧の値を前記第２の電圧値に切り替えてから、予め定められた第１の時間が経過したか否かを判定する第４の工程、
（Ｅ）前記第１の時間が経過したとき、前記情報信号の電圧の値を前記第２の電圧値から前記第１の電圧値に切り替える第５の工程、
（Ｆ）無線部が出力する無線送信電力の送信レベルが予め定められたレベル値を超えているか否かを判定する第６の工程
（Ｇ）前記無線送信電力の送信レベルが、予め定められたレベル値を超えているときは、前記インタフェース回路上の、前記第１及び第２のＣＰＵ間で送受信される前記情報信号の電圧の値を、予め定められた、前記第１の電圧値より大きい第２の電圧値に切り替える第７の工程、
（Ｈ）前記第２の電圧値に切り替えてから、予め定められた第２の時間が経過したか否かを判定する第８の工程、
（Ｉ）前記第２の時間が経過したとき、前記情報信号の電圧の値を前記第２の電圧値から前記第１の電圧値に切り替えて、動作を第２の工程に戻す第９の工程、
を実行することを特徴として構成される。
【発明の効果】
【００３１】
以上説明したように、本発明の電子機器は、ディジタル信号線上で予め定められた電圧の値を超すノイズの発生を検出したときには、そのディジタル信号線上での信号の電圧の値を通常の設定値より大きい値に切り替えるように構成される。そして、本発明の電子機器は、上記のように構成されることにより、アンテナ感度抑圧低減及び消費電力の低減と、耐ノイズ性能の劣化防止との両立を図ることができるという効果を有している。
【００３２】
また、無線基地局への無線送信電力が予め定められたレベルの値を超す送信レベルになったことを検出したときにも、ディジタル信号線上での信号の電圧の値を通常の設定値より大きい値に切り替えるように構成される。そして、本発明の電子機器は上記のように構成されることにより、無線送信電力のレベルが高くなったときは、ディジタル信号線上の信号に無線送信信号がノイズとして与える影響を低減できる。本発明の電子機器は上記のように構成されることにより、アンテナ感度抑圧低減及び消費電力の低減と、耐ノイズ性能の劣化防止との両立を図ることができるという効果を有している。
【発明を実施するための最良の形態】
【００３３】
本発明は、情報を送受信する複数のＣＰＵ間を接続したディジタル信号線を有する電子機器に適用される。そして、ディジタル信号線上において、ある程度のレベルのノイズが検出されたとき、上記ディジタル信号線を介して送受信される情報信号の電圧の値を通常の設定値より大きい値に切り替えるように構成される。このような構成によって、アンテナ感度抑圧低減及び消費電力の低減と耐ノイズ性能の劣化防止との両立を図ることができる。
【００３４】
また、本発明は、無線送信電力が予め定められたレベルの値を超す送信レベルになったことを検出したときに、ディジタル信号線上での信号の電圧の値を通常の設定値より大きい値に切り替えるように構成される。このような構成によって、アンテナ感度抑圧低減及び消費電力の低減と耐ノイズ性能の劣化防止との両立を図ることができる。
【００３５】
また、本発明は、ディジタル信号線上におけるノイズの検出と、予め定められたレベルの値を超す送信レベルの検出とを組み合わせて、いずれかの検出により信号の電圧の値を通常の設定値より大きい値に切り替えるようにも構成される。このような構成によって、より一層、アンテナ感度抑圧低減及び消費電力の低減と耐ノイズ性能の劣化防止との両立を図ることができるようになる。
【実施例】
【００３６】
次に、本発明の実施例について図面を参照して説明する。
【００３７】
以下の実施例の説明では、本発明の実施例の電子機器として、携帯型端末装置の場合を例にして説明する。
【００３８】
図１は、本発明の電子機器としての携帯型端末装置の実施の一形態の構成を示すブロック図である。また、図２は、図１に示す携帯型端末装置の動作を説明するための説明図である。
【００３９】
図１の携帯型端末装置は、キー操作部１３を有する第１のボード部１ａと、液晶表示部２３を有する第２のボード部２ａと、第１のボード部１ａと第２のボード部２ａとを接続する、ディジタル信号線として機能するインタフェース回路３とを備える。
【００４０】
また、第１のボード部１ａは、第１のボード部１ａ内で実現される、通信機能を含む各機能の動作制御を行うＣＰＵ１１（第１のＣＰＵ）を備える。一方、第２のボード部２ａは、第２のボード部１ａ内で実現される各機能の動作制御を行うＣＰＵ２１（第２のＣＰＵ）を備える。
【００４１】
第１のボード部１ａは、ＣＰＵ１１が第２のボード部２ａのＣＰＵ２１へ送信する情報を含む情報信号３７ａを送信する情報信号送受信部１２ａを備える。また、情報信号送受信部１２ａは、第２のボード部２ａのＣＰＵ２１から送信される情報を含む情報信号３７ｂを受信する。
【００４２】
第２のボード部２ａは、ＣＰＵ２１が第１のボード部１ａのＣＰＵ１１へ送信する情報を含む情報信号３７ｂを送信する情報信号送受信部２２ａを備える。また、情報信号送受信部２２ａは、ＣＰＵ２１が第１のボード部１ａのＣＰＵ１１から受信する情報を含む情報信号３７ａを受信する。
【００４３】
また、第１のボード部１ａは、ノイズ発生検出部１５、情報信号電圧値切替制御部１４、及びタイマ部１６を備える。
【００４４】
ノイズ発生検出部１５は、情報信号送受信部２２ａから出力される情報信号３７ｂの電圧とインタフェース回路３上に発生するノイズ電圧との合成電圧であるインタフェース回路上信号電圧３１を入力する。そして、ノイズ発生検出部１５は、インタフェース回路３上で図２に示すようなノイズ３８が発生したとき、ノイズ３８の発生を検出してノイズ発生検出信号３２を情報信号電圧値切替制御部１４に出力する。情報信号電圧値切替制御部１４は、ノイズ３８の発生時に、インタフェース回路３上に送信される情報信号３７ａの電圧の値を、通常時の１.８Ｖ（第１の電圧値）から３.０Ｖ（第２の電圧値）に上げるように情報信号送受信部１２ａを制御する。情報信号電圧値切替制御部１４は第１の電圧値切替制御信号３３を情報信号送受信部１２ａに出力して情報信号送受信部１２ａを制御する。また、タイマ部１６は、送信される情報信号３７ａの電圧の値を３.０Ｖに上げた後、予め定められた一定の時間が経過したとき、情報信号３７ａの電圧の値を１.８Ｖに戻すようにするための、タイミング信号であるカウントアップ通知信号３４を発生する。
【００４５】
なお、ノイズ発生検出部１５はコンパレータ回路（図示せず）を含んで構成される。上記コンパレータ回路は、インタフェース回路３上で発生するノイズ３８の電圧と情報信号３７ｂの電圧との合成電圧（図示せず）を１.９Ｖ（第３の電圧）と比較する。なお、この１.９Ｖは、前記合成電圧の電圧と比較するために、参照電圧３９（図２参照）として予め定められ、ノイズ発生検出部１５内に設定された電圧である。この比較の結果、上記合成電圧の値が１.９Ｖを超えたときに、それまで「Ｈレベル（ハイレベル）」であったコンパレータ回路の出力信号は、「Ｌレベル（ローレベル）」となって、図２に示すようなパルス４１ａ〜４１ｃが出力される。
【００４６】
ノイズ発生検出部１５は、パルス４１ａのパルス幅が、予め定めた所定の値を超えていたとき、ノイズの発生を示すノイズ発生検出信号３２を情報信号電圧値切替制御部１４に出力する。また、パルス４１ａのパルス幅が上記所定の値を超えていないときは、次のパルス４１ｂのパルス幅が所定の値を超えているか否かを判定する。４１ｂのパルス幅が所定の値を超えていないときは、さらに、パルス４１ｃのパルス幅が所定の値を超えているか否かを判定する。このように各パルスのパルス幅を順次調べる。そして、調べたパルス４１ａ〜４１ｃのパルスのパルス幅がいずれも所定の値を超えていないときは、ノイズ発生検出部１５はノイズ発生検出信号３２を出力しない。
【００４７】
また、第１のボード部１ａは、無線部１７及び送信レベル変動検出部１８を備える。送信レベル変動検出部１８は、無線部１７の、無線基地局への無線送信電力の送信レベルが変動して高くなったときに、この送信レベルの変動を検出して送信レベル変動検出信号３５を情報信号電圧値切替制御部１４に出力する。送信レベル変動検出信号３５を入力した情報信号電圧値切替制御部１４は、ノイズ３８の発生時と同様に、インタフェース回路３上に送信される情報信号の電圧の値を上げるように情報信号送受信部１２ａを制御する。
【００４８】
次に、動作を説明する。
【００４９】
最初に、第１のボード部１ａのＣＰＵ１１と第２のボード部２ａのＣＰＵ２１との間で送受信される情報を含んで構成される情報信号について説明する。
【００５０】
第１のボード部１ａのＣＰＵ１１と第２のボード部２ａのＣＰＵ２１との間で送受信される情報は、情報信号送受信部１２ａと情報信号送受信部２２ａとの間で送受信される情報信号３７ａ，３７ｂに含まれてインタフェース回路３上を送受信される。
【００５１】
情報信号送受信部１２ａから情報信号送受信部２２ａへの情報信号３７ａの振幅値を示す電圧の値も、情報信号送受信部２２ａから情報信号送受信部１２ａへの情報信号３７ｂの振幅値を示す電圧の値もともに、通常は１.８Ｖに設定されるものとする。情報信号送受信部１２ａから情報信号送受信部２２ａへの情報信号３７ａの電圧の値は、情報信号送受信部１２ａにおいて設定される。また、情報信号送受信部２２ａから情報信号送受信部１２ａへ送信される情報信号３７ｂの電圧の値は、情報信号送受信部２２ａにおいて設定される。
【００５２】
なお、後述するように、インタフェース回路３上にノイズの発生が検出されたとき、通常１.８Ｖに設定されている情報信号３７ａ，３７ｂの電圧の値は、情報信号送受信部１２ａ，２２ａにおいて、それぞれ３.０Ｖに切り替えられる。そして、情報信号３７ａ，３７ｂの電圧の値が３.０Ｖに切り替えられると、その状態は予め定められた所定の期間（矢印４０の示す期間）継続される。
【００５３】
また、無線送信電力の送信レベルが変動し高くなったことが検出されたときも、情報信号３７ａ，３７ｂの電圧の値が、情報信号送受信部１２ａ，２２ａにおいて、ノイズの発生時と同様、１.８Ｖから３.０Ｖに切り替えられる。なお、このときも、情報信号３７ａ，３７ｂの電圧の値が３.０Ｖに切り替えられると、その状態は予め定められた所定の期間（矢印４０の示す期間）継続される。
【００５４】
図２に示すように、情報信号３７ａ，３７ｂの電圧の値が所定の期間、３.０Ｖに切り替えられた状態にあるとき、ノイズ発生検出部１５のコンパレータ回路の出力信号もＬレベルとなって、パルス４２ａ〜４２ｅがコンパレータ回路から出力される。しかし、ノイズ発生検出部１５は、ノイズ発生検出信号３２を出力した後の、予め定められた所定の期間中にコンパレータ回路出力のＬレベルのパルスが発生しても、このとき出力されたパルスに基づいてノイズ発生検出信号３２を出力するための処理は行わない。従って、上記の所定の期間中にコンパレータ回路から出力された上記パルス４２ａ〜４２ｅは、上記情報信号３７ａ，３７ｂの電圧の値の切り替え動作には関与しないパルスとなる。
【００５５】
なお、図２は、実際には符号を構成して「１」、「０」の混在するビット列で構成される情報信号と、インタフェース回路３上に発生するノイズとの関係を示すため、情報信号のビット列のビットを全て「１」とした場合の模式図として示されている。
【００５６】
次に、図１〜図３を参照して本発明の携帯型端末装置における制御動作の流れを説明する。
【００５７】
図３は、図１に示す携帯型端末装置における制御動作の流れを示すフローチャートである。
【００５８】
通常時は、ＣＰＵ１とＣＰＵ２との間で行われる情報の送受信のための、情報信号送受信部１２ａからインタフェース回路３上に送信される情報信号３７ａの電圧の値は、予め定められた１.８Ｖに設定される。また、情報信号送受信部２２ａからインタフェース回路３上に送信される情報信号３７ｂの電圧の値も、予め定められた１.８Ｖに設定される（ステップ１：図２のＳ１）。
【００５９】
そして情報信号送受信部２２ａからインタフェース回路３上に送信される情報信号３７ｂの電圧とノイズ電圧との合成電圧であるインタフェース回路上信号電圧３１が、ノイズ発生検出部１５により、参照電圧３９の１.９Ｖを超えているか否かチェックされる。そして、インタフェース回路３上にノイズ３８が発生したとき、ノイズ発生検出部１５は、情報信号の電圧とインタフェース回路３上に発生したノイズ３８の電圧との合成電圧の値が参照電圧３９である１.９Ｖを超えているか否かを判定する。（ステップ２）。
【００６０】
上記の判定で合成電圧の値が１.９Ｖを超えているものと判定したノイズ発生検出部１５は、ノイズ発生検出信号３２を情報信号電圧値切替制御部１４に出力する。ノイズ発生検出信号３２を入力した情報信号電圧値切替制御部１４は、インタフェース回路３上に送信される情報信号３７ａの電圧の値を、１.８Ｖから３.０Ｖに切り替えるように指示する第１の電圧値切替制御信号３３を情報信号送受信部１２ａに出力する。このとき、第１の電圧値切替制御信号３３は情報信号電圧値切替制御部１４からタイマ部１６にも出力される。
【００６１】
第１の電圧値切替制御信号３３を入力した情報信号送受信部１２ａは、送信する前記情報信号３７ａの電圧の値を通常時の１.８Ｖから３.０Ｖに切り替える。また、情報信号送受信部１２ａは、第１の電圧値切替制御信号３３を、インタフェース回路３を介して情報信号送受信部２２ａに転送する。情報信号送受信部１２ａから転送された第１の電圧値切替制御信号３３を入力した情報信号送受信部２２ａは、情報信号送受信部１２ａ向けの情報信号３７ｂの電圧の値を通常時の１.８Ｖから３.０Ｖに切り替える（ステップ３）。
【００６２】
一方、第１の電圧値切替制御信号３３を情報信号電圧値切替制御部１４から入力したタイマ部１６は、カウント動作を起動する。このカウント動作は、情報信号の電圧の値を３．０Ｖに切り替えてから、予め定められた第１の時間が経過したか否かを判定するためのカウント動作である。なお、前記第１の時間は、ノイズ発生が収まると想定される時間であり、ここでは２秒として設定されているものとする。タイマ部１６は、カウント動作を行い、カウントアップしたとき、予め定められた時間である上記２秒が経過したことを通知するカウントアップ通知信号３４を情報信号電圧値切替制御部１４に出力する（ステップ４）。
【００６３】
情報信号電圧値切替制御部１４は、カウントアップ通知信号３４を入力して、３.０Ｖに切り替えられていた情報信号３７ａの電圧の値を１.８Ｖに切り替えるように指示する第２の電圧値切替制御信号３６を情報信号送受信部１２ａに出力する。情報信号送受信部１２ａは第２の電圧値切替制御信号３６を入力して、３.０Ｖに切り替えられていた情報信号３７ａの電圧の値を１.８Ｖに切り替える。また、情報信号送受信部１２ａは、第２の電圧値切替制御信号３６を、インタフェース回路３を介して情報信号送受信部２２ａに転送する。情報信号送受信部１２ａから転送された第２の電圧値切替制御信号３６を入力した情報信号送受信部２２ａは、情報信号送受信部１２ａ向けの情報信号３７ｂの電圧の値を３.０Ｖから１.８Ｖに切り替える。すなわち、情報信号３７ａ，３７ｂの電圧の値はそれぞれ、ノイズ３８の発生時に１.８Ｖから３.０Ｖに切り替えられる。そして、情報信号の電圧の値が３．０Ｖに切り替えられてから、ノイズ発生が収まったと想定される２秒後に、ノイズ３８の発生以前の通常時の電圧の値である１.８Ｖに、情報信号３７ａ，３７ｂの電圧の値はそれぞれ戻される（ステップ５）。
【００６４】
次に、無線部１７の出力する無線送信電力の送信レベルが、送信レベル変動検出部１８によって、予め定められたレベル値である１０ｄＢｍを超えているか否かチェックされる（ステップ６）。
【００６５】
無線送信電力の送信レベルが、１０ｄＢｍを超えているものと判定した送信レベル変動検出部１８は、送信レベルの変動が検出されたことを示す送信レベル変動検出信号３５を情報信号電圧値切替制御部１４に出力する。送信レベル変動検出信号３５を入力した情報信号電圧値切替制御部１４は、情報信号３７ａの電圧の値を、１.８Ｖから３.０Ｖに切り替えるように指示する第１の電圧値切替制御信号３３を情報信号送受信部１２ａ及びタイマ部１６に出力する。第１の電圧値切替制御信号３３を入力した情報信号送受信部１２ａは、前記情報信号の電圧の値を１.８Ｖから３.０Ｖに切り替える。また、情報信号送受信部１２ａは、第１の電圧値切替制御信号３３を、インタフェース回路３を介して情報信号送受信部２２ａに転送する。情報信号送受信部１２ａから転送された第１の電圧値切替制御信号３３を入力した情報信号送受信部２２ａは、情報信号送受信部１２ａ向けの情報信号３７ｂの電圧の値を通常時の１.８Ｖから３.０Ｖに切り替える（ステップ７）。
【００６６】
また、第１の電圧値切替制御信号３３を情報信号電圧値切替制御部１４から入力したタイマ部１６は、カウント動作を起動する。このカウント動作は、情報信号の電圧の値を３．０Ｖに切り替えてから、予め定められた第２の時間が経過したか否かを判定するためのカウント動作である。なお、前記第２の時間は、送信レベルの変動が収まると想定される時間であり、ここでも２秒として設定されているものとする。タイマ部１６は、カウント動作を行い、カウントアップしたとき、予め定められた時間である２秒が経過したことを通知するカウントアップ通知信号３４を情報信号電圧値切替制御部１４に出力する（ステップ８）。
【００６７】
そして、情報信号送受信部１２ａ，２２ａによって情報信号３７ａ，３７ｂの電圧の値が３.０Ｖに切り替えられた後、第２の時間である２秒が経過したとき、情報信号の電圧の値が３.０Ｖから１.８Ｖに切り替えられて、動作がステップ２に戻る（ステップ９）。
【００６８】
以上で、図１に示す携帯型端末装置における制御動作の流れの説明を終了する。
【００６９】
上記の説明では、ノイズの発生が検出されたとき、あるいは無線送信電力の送信レベルの変動により送信レベルが１０ｄＢｍを超えたことが検出されたとき、情報信号３７ａ，３７ｂの電圧の値を１.８Ｖから３.０Ｖに切り替えることで説明した。しかし、ノイズの発生時、あるいは送信レベルの１０ｄＢｍ超過時に、情報信号３７ａ，３７ｂの電圧の切り替えだけでなく、図示しない、インタフェース回路３を伝送されるクロック信号の振幅電圧を、より大きい振幅電圧に切り替えるように構成してもよい。
【００７０】
また上記の説明では、情報信号３７ｂの電圧とインタフェース回路３上に発生するノイズ電圧との合成電圧を、１.９Ｖ（第３の電圧）と比較して、合成電圧の値が１.９Ｖを超えたか否かを調べ、ノイズの発生を検出する場合で説明した。しかし、情報信号３７ｂの電圧の代わりに、上記クロック信号の電圧と、インタフェース回路３上に発生するノイズ電圧との合成電圧を比較して、ノイズの発生を検出するように構成してもよい。また、上記クロック信号の電圧とノイズ電圧との合成電圧を比較して、ノイズの発生を検出したとき、情報信号３７ａ，３７ｂの電圧の切り替えだけでなく、上記クロック信号の振幅電圧を、より大きい振幅電圧に切り替えるように構成してもよい。
【００７１】
上記の説明では、携帯型端末装置の動作が開始すると、ノイズの発生を検出する動作、次に、送信レベルの変動を検出する動作が行われ、以後、携帯型端末装置の動作中は継続して上記両者の検出が交互に行われる場合で説明した。しかし、ノイズの発生を検出する動作だけを、繰り返し行うように構成してもよい。また、送信レベルの変動を検出する動作だけを、繰り返し行うように構成してもよい。なお、ノイズの発生と送信レベルの変動とを交互に検出する構成の場合は、ノイズの発生または、送信レベルの変動を単独で行う構成の場合よりも、より耐ノイズ性能を上げることができる。
【００７２】
また、上記の説明では、ノイズの発生を検出する動作終了後、直ちに送信レベルの変動を検出する動作に入る場合で動作を説明したが、ノイズの発生を検出する動作終了後、予め定められた時間を経過した後に送信レベルの変動を検出する動作に入るようにしてもよい。
【００７３】
また、上記の説明では、ノイズ発生が収まると想定される時間と送信レベルの変動が収まると想定される時間とをともに２秒として設定する場合について説明した。しかし、ノイズ発生が収まると想定される時間と送信レベルの変動が収まると想定される時間とを別々の時間に設定するようにしてもよい。
【００７４】
また、上記の動作説明においては、第１の電圧を１．８Ｖ、第２の電圧を３．０Ｖ及び第３の電圧を１．９Ｖとして説明したが、第１の電圧、第２の電圧及び第３の電圧の値はそれぞれ上記の電圧値に限定されるものではない。
【００７５】
また、上記の説明では、ノイズ発生の検出にコンパレータを用いた場合で説明しているが、コンパレータの代わりにＡＤコンバータを用いて、ノイズ発生の検出を行うように構成してもよい。この場合は、信号電圧とノイズ電圧との合成電圧がＡＤコンバータによりディジタル値に変換され、ディジタル値で示される参照電圧３９の値を超えているか否か比較される。
【００７６】
上記のように、本発明では、ノイズの発生を検出する場合、信号電圧とノイズ電圧との合成電圧を、予め定められた参照電圧３９とコンパレータまたはＡＤコンバータを用いて比較することにより、ノイズの発生を検出できるように構成されている。従って、どのような発生源からのノイズでも、そのノイズの種類のいかんにかかわらず自動的にノイズの発生を検出することができる。
【図面の簡単な説明】
【００７７】
【図１】本発明の電子機器としての携帯型端末装置の実施の一形態の構成を示すブロック図である。
【図２】図１に示す携帯型端末装置の動作を説明するための説明図である。
【図３】図１に示す携帯型端末装置における制御動作の流れを示すフローチャートである。
【図４】従来の携帯型端末装置の構成を示すブロック図である。
【図５】図４の携帯型端末装置の動作を説明するための説明図である。
【符号の説明】
【００７８】
１ａ，１ｂ    第１のボード部
２ａ，２ｂ    第２のボード部
３    インタフェース回路
１１    ＣＰＵ
１２ａ，１２ｂ    情報信号送受信部
１３    キー操作部
１４    情報信号電圧値切替制御部
１５    ノイズ発生検出部
１６    タイマ部
１７    無線部
１８    送信レベル変動検出部
２１    ＣＰＵ
２２ａ，２２ｂ    情報信号送受信部
２３    液晶表示部
３１    インタフェース回路上信号電圧
３２    ノイズ発生検出信号
３３    第１の電圧値切替制御信号
３４    カウントアップ通知信号
３５    送信レベル変動検出信号
３６    第２の電圧値切替制御信号
３７ａ，３７ｂ    情報信号
３８    ノイズ
３９    参照電圧
４０    矢印
４１ａ〜４１ｃ    パルス
４２ａ〜４２ｅ    パルス
【図１】
2006100979.tif 000003
【図２】
2006100979.tif 000004
【図３】
2006100979.tif 000005
【図４】
2006100979.tif 000006
【図５】
2006100979.tif 000007